(57)【要約】【課題】表裏面を有する人造皮革が用いられた蝶結びリボン型装飾具において、美観を向上させること。【解決手段】装飾具１１は、表裏面を有する帯状の人造皮革の長手方向に延びる一対の長手端４１及び４２が裏面側へそれぞれ折り曲げられ、さらに長手方向の両側に位置する短手端４３及び４４が上記長手端が位置する側へループ状に曲げられた第１部材２１と、長手方向に延びる平板形状の第２部材２２と、第１部材２１の短手端４３及び４４が位置する側に第２部材２２が重ねられた重複状態において、第１部材２１及び第２部材２２の外側を上記長手方向と直交する短手方向にリング状に延びて、第１部材２１及び第２部材２２を一体に保持する第３部材２３と、を具備する。【選択図】図１
2019051225.tif 000002
【特許請求の範囲】
【請求項１】
表裏面を有する帯状の人造皮革の長手方向に延びる一対の長手端が裏面側へそれぞれ折り曲げられ、さらに長手方向の両側に位置する短手端が上記長手端が位置する側へループ状に曲げられた第１部材と、
長手方向に延びる平板形状の第２部材と、
上記第１部材の上記短手端が位置する側に上記第２部材が重ねられた重複状態において、上記第１部材及び上記第２部材の外側を上記長手方向と直交する短手方向にリング状に延びて、上記第１部材及び上記第２部材を一体に保持する第３部材と、を具備する蝶結びリボン型装飾具。
【請求項２】
上記第１部材の上記一対の長手端の一方である第１長手端は直線形状であり、
上記一対の長手端の他方である第２長手端は、上記短手方向の外側へ延びる山形状であって、当該山形状の頂部が短手方向の内側へ切り欠かれた凸部を２箇所に有しており、
上記第１長手端と上記第２長手端の上記凸部の少なくとも一部とが当接されている請求項１に記載の蝶結びリボン型装飾具。
【請求項３】
上記第２長手端は、２つの上記凸部の間に位置して上記第１長手端と並行に延びる第１直線部と、上記各凸部と各短手端との間に位置して上記第１長手端と並行に延びる第２直線部及び第３直線部と、を有しており、
上記各凸部と上記第１直線部との間、上記各凸部と上記第２直線部及び上記第３直線部との間に、上記短手方向へ延びる切り込みを有する請求項２に記載の蝶結びリボン型装飾具。
【請求項４】
上記第１部材は、上記凸部の上記頂部が上記長手方向の両側に位置するようにループ状に曲げられている請求項３に記載の蝶結びリボン型装飾具。
【請求項５】
上記第２部材は、上記長手方向の中央から上記長手方向の両側へ向かって上記短手方向の長さが次第に大きくなる幅広部を有しており、
上記第２部材は、上記重複状態において、上記第１部材の上記第１長手端が折り曲げられた側から、上記幅広部が上記短手方向の外側へ突出する請求項４に記載の蝶結びリボン型装飾具。  
【請求項６】
上記第２部材は、芯材と、当該芯材に重ね合わされた人造皮革であって、その縁が当該芯材に沿って折り返された表材と、を有しており、
上記表材が上記第１部材の上記短手端が位置する側にある請求項１から４のいずれかに記載の蝶結びリボン型装飾具。
【請求項７】
上記第３部材は、表裏面を有する人造皮革の一対の両端が裏面側へ折り曲げられた帯状に形成されたものである請求項１から６のいずれかに記載の蝶結びリボン型装飾具。
【請求項８】
蝶結びリボン型装飾具と、
上記蝶結びリボン型装飾具が結合される被せ蓋と、
開口が上記被せ蓋で覆われる収納部と、
上記収納部に設けられる肩ひもと、
上記被せ蓋と結合されており、上記収納部とに着脱可能なベルトと、を備えるランドセルであって、
表裏面を有する帯状の人造皮革の長手方向に延びる一対の長手端が裏面側へそれぞれ折り曲げられ、さらに上記長手方向の両側に位置する短手端が上記長手端が位置する側へループ状に曲げられた第１部材と、
上記長手方向に延びる平板形状の第２部材と、
上記第１部材の上記短手端が位置する側に上記第２部材が重ねられた重複状態において、上記第１部材及び上記第２部材の外側を上記長手方向と直交する短手方向にリング状に延びて、上記第１部材及び上記第２部材を一体に保持する第３部材と、を具備する蝶結びリボン型装飾具を備えるランドセル。
【請求項９】
上記被せ蓋と上記ベルトとは、それぞれを貫通する第１締結具により結合されており、
上記リボン型装飾具は、上記第１締結具を覆っている請求項８に記載のランドセル。
【請求項１０】
上記リボン型装飾具の上記第２部材と、上記被せ蓋とは、それぞれを貫通する第２締結具によって結合されており、
上記リボン型装飾具の上記第１部材は、上記第２締結具を覆っている請求項８又は９に記載のランドセル。
【請求項１１】
上記リボン型装飾具の上記第２部材と、上記被せ蓋とは、それぞれを貫通する第２締結具によって結合されており、
上記第２部材は、上記第３部材の両側において上記長手方向に並ぶそれぞれ２つの上記第２締結具によって上記被せ蓋と結合されている請求項８から１０のいずれかに記載のランドセル。
【請求項１２】
表裏面を有する人造皮革から帯状の第１部材を切り出す第１工程と、
切り出された上記第１部材は、長手方向に延びる一対の長手端が裏面側へそれぞれ折り曲げられ、さらに上記長手方向の両側に位置する短手端が上記長手端が位置する側へループ状に曲げられる第２工程と、
上記長手方向に延びる平板形状の第２部材は、上記第１部材の上記短手端が位置する側に上記第２部材が重ねられた重複状態にされる第３工程と、
上記第１部材及び上記第２部材の外側を上記長手方向と直交する短手方向にリング状に延びる第３部材が上記第１部材及び上記第２部材を一体に保持する第４工程と、を有する蝶結びリボン型装飾具の製造方法。
【請求項１３】
上記第１部材の上記一対の長手端の一方である第１長手端が直線形状であり、
上記一対の長手端の他方である第２長手端が、上記短手方向の外側へ延びる山形状であって、当該山形状の頂部が上記短手方向の内側へ切り欠かれた凸部を２箇所に有しており、
上記第２工程において、上記第１長手端を裏面側へ折り曲げ、当該第１長手端に上記第２長手端の上記凸部の少なくとも一部とを当接させつつ、上記第２長手端を裏面側へ折り曲げる請求項１２に記載の蝶結びリボン型装飾具の製造方法。
【発明の詳細な説明】
【技術分野】
【０００１】
本発明は、蝶結びリボン型装飾具、ランドセル、及び蝶結びリボン型装飾具の製造方法に関する。
【背景技術】
【０００２】
例えば、特許文献１に開示される連結構造では、装飾性を有する鋲が、ランドセルの被せ蓋とＹ字状の連結用ベルトとを連結している。装飾性を有する鋲が交換されることにより、ランドセルの外観を好みの態様に変えることができる。
【先行技術文献】
【特許文献】
【０００３】
【特許文献１】特開２００８−４３６０３号公報
【発明の概要】
【発明が解決しようとする課題】
【０００４】
例えば、ランドセルの被せ蓋に蝶結びリボン型装飾具（以下、単に「装飾具」とも称する。）を付すとする。ランドセルの被せ蓋の外面は人造皮革により作られているので、装飾具も同色の人造皮革により作られることによって、装飾具と被せ蓋との一体感が得られる。一般に、人造皮革は、表面が着色されていても、裏面や木端などは着色されておらず、概ね白色であることが多い。したがって、人造皮革を用いて作成された装飾具において、裏面や木端が外側から看取しやすい位置にあると、装飾具の美観を損なう。特に薄手の人造皮革を用いて柔らかな印象の装飾具を作るときにおいて、薄手の人造皮革の木端を塗装するなどの処理は施し難く、木端により美観が損なわれやすい。
【０００５】
本発明は、上記の事情に鑑みてなされたものであり、その目的は、表裏面を有する人造皮革が用いられた蝶結びリボン型装飾具において、美観を向上させることである。
【課題を解決するための手段】
【０００６】
(1)  本発明に係る蝶結びリボン型装飾具は、表裏面を有する帯状の人造皮革の長手方向に延びる一対の長手端が裏面側へそれぞれ折り曲げられ、さらに長手方向の両側に位置する短手端が上記長手端が位置する側へループ状に曲げられた第１部材と、長手方向に延びる平板形状の第２部材と、上記第１部材の上記短手端が位置する側に上記第２部材が重ねられた重複状態において、上記第１部材及び上記第２部材の外側を上記長手方向と直交する短手方向にリング状に延びて、上記第１部材及び上記第２部材を一体に保持する第３部材と、を具備する。
【０００７】
上記構成によれば、第１部材において、人造皮革の長手端が裏面側へそれぞれ折り曲げられているので、長手端が外側から看取され難い。また、第１部材の短手端が第３部材に覆われているので、短手端が外側から看取され難い。
【０００８】
(2)  好ましくは、上記第１部材の上記一対の長手端の一方である第１長手端は直線形状であり、上記一対の長手端の他方である第２長手端は、上記短手方向の外側へ延びる山形状であって、当該山形状の頂部が短手方向の内側へ切り欠かれた凸部を２箇所に有しており、上記第１長手端と上記第２長手端の凸部の少なくとも一部とが当接されている。
【０００９】
上記構成によれば、第１部材において、長手端が折り曲げられてなる一方の端がループ形状において直線的に延び、他方の端がループ形状の外側へ向かってそれぞれ広がる形状が実現される。また、裏面側へ折り曲げられた第１長手端を基準として、第２長手端を裏面側へ折り曲げることができる。
【００１０】
(3)  好ましくは、上記第２長手端は、２つの上記凸部の間に位置して上記第１長手端と並行に延びる第１直線部と、上記各凸部と各短手端との間に位置して上記第１長手端と並行に延びる第２直線部及び第３直線部と、を有しており、上記各凸部と上記第１直線部との間、上記各凸部と上記第２直線部及び上記第３直線部との間に、上記短手方向へ延びる切り込みを有する。
【００１１】
上記構成によれば、第２長手端を裏面側へ折り曲げやすい。
【００１２】
(4)  好ましくは、上記第１部材は、上記凸部の上記頂部が上記長手方向の両側に位置するようにループ状に曲げられている。
【００１３】
上記構成によれば、第１部材の長手方向の中央において短手方向の幅が狭く、かつ長手方向の両側へ向かって短手方向の幅が次第に拡がる形状が実現される。
【００１４】
(5)  好ましくは、上記第２部材は、上記長手方向の中央から上記長手方向の両側へ向かって上記短手方向の長さが次第に大きくなる幅広部を有しており、上記第２部材は、上記重複状態において、上記第１部材の上記第１長手端が折り曲げられた側から、上記幅広部が上記短手方向の外側へ突出する。
【００１５】
上記構成によれば、ループ形状において直線的に延びる第１部材の端の奥側に、蝶結び形状の両端が下方へ垂れている印象を与える第２部材が実現できる。
【００１６】
(6)  好ましくは、上記第２部材は、芯材と、当該芯材に重ね合わされた人造皮革であって、その縁が当該芯材に沿って折り返された表材と、を有しており、上記表材が上記第１部材の上記短手端が位置する側にある。
【００１７】
上記構成によれば、芯材により第２部材の剛性が向上する。また、芯材の木端を表材が覆っているので外観が優れる。
【００１８】
(7)  好ましくは、上記第３部材は、表裏面を有する人造皮革の一対の両端が裏面側へ折り曲げられた帯状に形成されたものである。
【００１９】
上記構成によれば、第３部材において両端が外側から看取され難い。
【００２０】
(8)  本発明に係るランドセルは、蝶結びリボン型装飾具と、上記蝶結びリボン型装飾具が結合される被せ蓋と、開口が上記被せ蓋で覆われる収納部と、収納部に設けられる肩ひもと、上記被せ蓋と結合されており、上記収納部とに着脱可能なベルトと、を備える。上記蝶結びリボン型装飾具は、表裏面を有する帯状の人造皮革の長手方向に延びる一対の長手端が裏面側へそれぞれ折り曲げられ、さらに長手方向の両側に位置する短手端が上記長手端が位置する側へループ状に曲げられた第１部材と、長手方向に延びる平板形状の第２部材と、上記第１部材の上記短手端が位置する側に上記第２部材が重ねられた重複状態において、上記第１部材及び上記第２部材の外側を上記長手方向と直交する短手方向にリング状に延びて、上記第１部材及び上記第２部材を一体に保持する第３部材と、を具備する。
【００２１】
(9)  好ましくは、上記被せ蓋と上記ベルトとは、それぞれを貫通する第１締結具により結合されており、上記リボン型装飾具は、上記第１締結具を覆っている。
【００２２】
上記構成によれば、収納部の開口を覆った状態の被せ蓋の外観に第１締結具が現れず、外観が優れる。
【００２３】
(10)  好ましくは、上記リボン型装飾具の上記第２部材と、上記被せ蓋とは、それぞれを貫通する第２締結具によって結合されており、上記リボン型装飾具の上記第１部材は、上記第２締結具を覆っている。
【００２４】
上記構成によれば、収納部の開口を覆った状態の被せ蓋の外観に第２締結具が現れず、外観が優れる。
【００２５】
(11)  好ましくは、上記第２部材は、上記第３部材の両側において上記長手方向に並ぶそれぞれ２つの上記第２締結具によって上記被せ蓋と結合されている。
【００２６】
上記構成によれば、リボン型装飾具と被せ蓋とが強固に結合される。
【００２７】
(12)  本発明に係る蝶結びリボン型装飾具の製造方法は、表裏面を有する人造皮革から帯状の第１部材を切り出す第１工程と、切り出された上記第１部材は、長手方向に延びる一対の長手端が裏面側へそれぞれ折り曲げられ、さらに長手方向の両側に位置する短手端が上記長手端が位置する側へループ状に曲げられる第２工程と、長手方向に延びる平板形状の第２部材は、上記第１部材の上記短手端が位置する側に上記第２部材が重ねられた重複状態にされる第３工程と、上記第１部材及び上記第２部材の外側を上記長手方向と直交する短手方向にリング状に延びる第３部材が上記第１部材及び上記第２部材を一体に保持する第４工程と、を有する。
【００２８】
上記製造方法によれば、第１部材において、長手端及び短手端が外側から看取され難い蝶結びリボン型装飾具を簡易に製造することができる。
【００２９】
(13)  好ましくは、上記第１工程では、上記第１部材の上記一対の長手端の一方である第１長手端を直線形状とし、上記一対の長手端の他方である第２長手端を、上記短手方向の外側へ延びる山形状であって、当該山形状の頂部が短手方向の内側へ切り欠かれた凸部を２箇所に有することとし、上記第２工程では、上記第１長手端と上記第２長手端の凸部の少なくとも一部とを当接することとする。
【００３０】
上記製造方法によれば、第１部材において、長手端が折り曲げられてなる一方の端がループ形状において直線的に延び、他方の端がループ形状の外側へ向かってそれぞれ広がる形状が実現される。また、裏面側へ折り曲げられた第１長手端を基準として、第２長手端を裏面側へ折り曲げることができる。
【発明の効果】
【００３１】
本発明によれば、美観のよいリボン型装飾具が実現できる。
【図面の簡単な説明】
【００３２】
【図１】図１は、ランドセル１０の外観斜視図である。
【図２】図２は、第１部材２１の斜視図である。
【図３】図３は、第２部材２２の正面図である。
【図４】図４は、第３部材２３の正面図である。
【図５】図５は、第１部材２１の裏面２７側の展開図である。
【図６】図６は、第１部材２１の第２長手端４２の一部が折り曲げられた図である。
【図７】図７は、第１部材２１の第１短手端４３が折り曲げられた図である。
【図８】図８（Ａ）は、第２部材２２のＡ−Ａ断面図であり、図８（Ｂ）は、第３部材２３のＢ−Ｂ断面図である。
【図９】図９は、実施形態に係る蝶結びリボン型装飾具製造方法００の工程表である。
【図１０】図１０は、第１部材２１及び第３部材２３を想像線で表し第２部材２２が被せ蓋１２と結合している様子を表した、ランドセル１０の正面図である。
【発明を実施するための形態】
【００３３】
以下、本発明の実施形態について説明する。なお、以下に説明される実施形態は本発明の一例にすぎず、本発明の要旨を変更しない範囲で、本発明の実施形態を適宜変更できることは言うまでもない。また、ランドセル１０の底１６が水平面上にありランドセル１０の背１７が底１６から垂直に延びる図１の状態にあるときを基準として、上下方向７が定義され、装飾具１１が設けられている側を前側として前後方向８が定義され、ランドセル１０が前面から見て左右方向９が定義される。本実施形態では、図１の状態において、上下方向７が垂直方向に相当し、前後方向８及び左右方向９が水平方向に相当する。前後方向８及び左右方向９は、直交している。 
【００３４】
［ランドセル１０の全体構成］
図１に示されるように、ランドセル１０は概ね直方体形状の箱にひもが取り付けられた態様である。ランドセル１０は、蝶結びされたリボンの形状をモチーフとした装飾具１１と、装飾具１１が結合される被せ蓋１２と、被せ蓋１２で覆われる収納部１３と、収納部１３の後側上端から底１６までに渡って設けられている肩ひも１４と、被せ蓋１２に結合されており、収納部１３とに着脱可能なベルト１５と、を備えている。
【００３５】
［装飾具１１］
図１に示されるように、装飾具１１は、左右方向に延びる第１部材２１と、第１部材２１の後側に位置し左右方向９に延びる第２部材２２と、前後に位置する第１部材２１と第２部材２２の左右方向中央で上下方向７に沿って両者の外側をリング状に延びる第３部材２３と、を具備している。
【００３６】
［第１部材２１］
図１、図２及び図１０に示されるように、第１部材２１は、正面視において左右方向９に長い外形である。第１部材２１の上下方向７の寸法は、左右方向中央において短く、左右方向両端へ向かって徐々に長くなる。第１部材２１は、左右両端にループ部３０を有する。ループ部３０は、それぞれ上下に開口３２〜３５を有する。第１部材２１は、１枚の人造皮革から切り抜かれた切抜体が、適宜折り曲げられて作成されている。第１部材２１の展開形状については後述される。
【００３７】
第１部材２１は、下方に第１端２８を有しており、上方に第２端２９を有している。第１端２８は、左右方向９に沿ってほぼ直線状に延びている。第２端２９は、左右方向９の中央においては、左右方向９に沿って直線状に延びており、その中央から左右方向９の両端へ向けては第１部材２１の上下方向７の寸法が徐々に長くなるように傾斜している。第１部材２１の左右方向９の両端は、正面視において上下方向７に沿って延びており、第１端２８と第２端２９とを結ぶ。
【００３８】
［第２部材２２］
図３及び図８（Ａ）に示されるように、第２部材２２は、左右方向９に長い平板形状である。第２部材２２は、左右方向９に沿って延びる上端６１と、中央が左右方向９に沿って延びる下端６２と、右方へ向かうにしたがって下方へ向かうように傾斜している左端６３と、左方へ向かうにしたがって下方へ向かうように傾斜している右端６４と、を有する。上端６１は、左端６３及び右端６４の上端と連結し、下端６２は、左端６３及び右端６４の下端と連結している。また、第２部材２２の４隅は、すべて丸みを帯びた形状である。
【００３９】
第２部材２２は、左右方向９における中央の上下方向７の寸法が短い幅狭部６５と、そこから左右方向９における両側へ向かって上下方向７の寸法がしだいに長くなる幅広部６６と、を有する。幅広部６６の一部は、第２部材２２が第１部材２１の後側に位置する状態にあって、正面視において、第１端２８（図２参照）の下側に看取される。
【００４０】
第２部材２２は、芯材６７と、表材６８と、台材６９と、を有する。芯材６７は、表材６８によって上下端、前面及び裏面の縁が覆われている状態にある。表材６８は、人造皮革からなる。台材６９は、芯材６７の後側に位置し、芯材６７との間に表材の縁６８ａを有する。芯材６７、表材６８及び台材６９は、接着剤で固定されている。また、台材６９は、正面視において芯材６７と表材６８の組み合わせと上下方向７及び左右方向９の寸法が同じ長さであり、同じ形状である。
【００４１】
第２部材２２は、左右方向９に一列に並ぶ４つの孔７１を有する。孔７１は、幅狭部６５における上下方向中央に位置し、左右方向９に沿って横並びに間を空けて位置する。図１０に示されるように、孔７１は、リベット７２及び７３が貫通する孔である。孔７１のうち２つは、第２部材２２の左右方向９の両側に位置し、残り２つは、第２部材２２の左右方向９の内側かつ第３部材２３が巻かれる幅狭部６５の外側に位置する。リベット７２は、左右方向９の両側の孔７１を貫通し、リベット７３は、残りの孔７１を貫通する。リベット７２及び７３は、孔７１を貫通した状態において第１部材２１に覆われる位置となる。
【００４２】
［第３部材２３］
図４及び図８（Ｂ）に示されるように、第３部材２３は、上下方向７に沿って延びるリング状である。第３部材２３は、左右方向９を向く開口７８を左右方向９の両側にそれぞれ有する。第３部材２３は、細長な帯形状に折り曲げられた人造皮革の両端７７が留め具７９で留められることによってリング状に形成されている。
【００４３】
［被せ蓋１２］
図１及び図１０に示されるように、被せ蓋１２は、リベット７２及び７３により装飾具１１が結合される。より詳細には、被せ蓋１２は、リベット７２及び７３により第２部材２２と結合される。被せ蓋１２は、ランドセルにおいて一般的に使用される形状が採用され得る。
【００４４】
［収納部１３］
図１に示されるように、収納部１３は、上側に開口８２を有する箱形状である。収納部１３は、ランドセルにおいて一般的に使用される形状が採用され得る。したがって、収納部１３の外側には適宜ポケットなどが設けられていてもよい。収納部１３の後面において被せ蓋１２が連結されている。被せ蓋１２は、収納部１３の後面から前方へ垂れ下がることによって、収納部１３の開口８２を覆う。
【００４５】
［ベルト１５］
図１及び図１０に示されるように、ベルト１５は、被せ蓋１２の先端部分に連結されている。ベルト１５は、Ｙ字形状である。Ｙ字形状において左右方向９に分かれた一対の上端部分が、リベット７２及び８１によって被せ蓋１２とそれぞれ連結されている。リベット７２及び８１は、上下方向７に一列に並んでいる。リベット７２は、ベルト１５、被せ蓋１２及び第２部材２２を結合している。リベット８１は、ベルト１５及び被せ蓋１２を結合している。リベット７２，８１が被せ蓋１２の表面（図１における前面）に露出する部分は、第２部材２２によって覆われている。
【００４６】
ベルト１５は、収納部１３の底１６に設けられた留め具（不図示）と着脱可能な環状の連結部８３を備えている。連結部８３は、ベルト１５の下端に連結された金属製の部材である。
【００４７】
［第１部材２１の展開図］
以下、図５に基づいて展開状態の第１部材２１の形状が説明される。図５に示される第１部材２１は、裏面２７側である。したがって、左右方向９における左右が逆に示されている。展開状態の第１部材２１は、左右方向９に沿って延びる第１長手端４１、第２長手端４２及び上下方向７に沿って延びる第１短手端４３、第２短手端４４によって概ね縁取られる。
【００４８】
第１長手端４１は、左右方向９に沿って延びる。第１長手端４１の左右方向９の寸法は第２長手端４２の左右方向９の寸法と同じである。
【００４９】
第１短手端４３及び第２短手端は上下方向７に沿って延びる。すなわち、第１短手端と第２短手端とは、平行である。また、第１短手端の上下方向７の長さは第２短手端の上下方向７の長さと同じである。また、第１短手端は、第１長手端の右端と第２長手端の右端とを結び、第２短手端は、第１長手端の左端と第２長手端の左端とを結ぶ。すなわち、第１部材２１は、正面視において、第１長手端４１、第１短手端４３、第２長手端４２及び第２短手端４４で縁取られる。
【００５０】
第２長手端４２は、第１端４２ａ、第２端４２ｂ、第３端４２ｃ、第４端４２ｄ、第５端４２ｅ、第６端４２ｆ、第７端４２ｇ、第１切り欠き４５及び第２切り欠き４６を有する。第１端４２ａ、第４端４２ｄ、及び第７端４２ｇは第１長手端４１と平行に左右方向９に延びる。すなわち、第１端４２ａ、第４端４２ｄ、及び第７端４２ｇは左右方向９に沿って延びる。第１端４２ａは第２長手端４２の右端に位置する。第４端４２ｄは第２長手端４２の左右方向９の中央に位置する。第７端４２ｇは第２長手端４２の左端に位置する。また、第１端４２ａ、第４端４２ｄ、及び第７端４２ｇは、第１長手端４１までの上下方向７の寸法がすべて同じである。すなわち、各第１端４２ａ、第４端４２ｄ、及び第７端４２ｇは、上下方向７における位置が同じである。
【００５１】
第２端４２ｂは、第１端４２ａの直ぐ左に位置し、第１端４２ａの一段上から左方へ向かうにしたがって上方へ向かうように傾斜している。第３端４２ｃは、第４端４２ｄの右隣りに位置し、第４端４２ｄの一段上から右方へ向かうにしたがって上方へ向かうように傾斜している。第５端４２ｅは、第４端４２ｄの直ぐ左に位置し、第４端４２ｄの一段上から右方へ向かうにしたがって上方へ向かうように傾斜している。第６端４２ｆは、第７端４２ｇの直ぐ右に位置し、第７端４２ｇの一段上から右方へ向かうにしたがって上方へ向かうように傾斜している。
【００５２】
第１切り欠き４５は、平面視がＶ字状であり、第２端４２ｂと第３端４２ｃとの間に位置する。第２切り欠き４６は、平面視がＶ字状であり、第５端４２ｅと第６端４２ｆとの間に位置する。第１端４２ａと第７端４２ｇとは、第１部材２１の左右方向９の中央線である補助線４７を対称軸として線対称である。同様に、第２端４２ｂと第６端４２ｆとは、補助線４７を対称軸として線対称である。第３端４２ｃと第５端４２ｅとは、補助線４７を対称軸として線対称である。第２長手端４２の詳細な形状は後述される。
【００５３】
仮想線４８は、第１長手端４１と平行である。仮想線４８の上下方向７の位置は、後述の第２端２９より下であって、第１長手端４１より上の範囲内において任意に設定される。仮想線４８は、例えば、展開状態の第１部材２１において、描かれたり、認識可能に癖付けされたりしてもよい。
【００５４】
第２端２９は、右端部２９ａ、第１山部２９ｂ、中央部２９ｃ、第２山部２９ｄ、及び左端部２９ｅを有する。右端部２９ａは、第１端４２ａと平行である。すなわち、右端部２９ａは、左右方向９に沿って延びる。第１端４２ａから右端部２９ａまでの上下方向７の距離は、右端部２９ａから仮想線４８までの上下方向７の距離と同じである。すなわち、右端部２９ａは第１端４２ａと仮想線４８の上下方向７の中央に位置する。第１端４２ａと第２端４２ｂの間には、第１切り込み４９が第２端２９まで上下方向７に沿って設けられている。
【００５５】
中央部２９ｃは、第４端４２ｄと平行である。すなわち、中央部２９ｃは、左右方向９に沿って延びる。中央部２９ｃと右端部２９ａとは、上下方向７の位置が同じである。第４端４２ｄから中央部２９ｃまでの上下方向７の距離は、中央部２９ｃから仮想線４８までの上下方向７の距離と同じである。すなわち、中央部２９ｃは、第４端４２ｄと仮想線４８との間における上下方向７の中央に位置する。第４端４２ｄと第３端４２ｃとの間、及び第４端４２ｄと第５端４２ｅとの間には、それぞれ第２切り込み５０及び第３切り込み５１が、第２端へ向かって上下方向７に沿って形成されている。
【００５６】
左端部２９ｅは、第７端４２ｇと平行である。すなわち、左端部２９ｅは、左右方向９に沿って延びる。左端部２９ｅと、右端部２９ａ及び中央部２９ｃとは、上下方向７の位置が同じである。第７端４２ｇから左端部２９ｅまでの上下方向７の距離は、左端部２９ｅから仮想線４８までの上下方向７の距離と同じである。すなわち、左端部２９ｅは、第７端ｇと仮想線４８との間における上下方向７の中央に位置する。第７端４２ｇと第６端４２ｆとの間には、第４切り込み５２が第２端へ向かって上下方向７に沿って形成されている。
【００５７】
２つの第１山部２９ｂは、右端部２９ａから左右方向９に沿って左へ延びる仮想線５３を底辺とする二等辺三角形を構成する。２つの第１山部２９ｂは、頂点５４を通る上下方向７に沿った補助線８５を対称軸として線対称である。
【００５８】
第１部材２１は、第２端４２ｂ、第１切り込み４９、第１山部２９ｂ及び第１切り欠き４５で区画された片５６と、第３端４２ｃ、第２切り込み５０、第１山部２９ｂ及び第１切り欠き４５で区画された片５７と、を有する。片５６及び片５７は四角形である。片５６は、第１山部２９ｂの上であって切り欠き４５の右に位置する。片５７は、第１山部２９ｂの上側であって第１切り欠き４５の左側に位置する。片５６と片５７とは、補助線８５を対称軸として線対称である。
【００５９】
片５６の内角の１つは、第１切り欠き４５と第１山部２９ｂの間の内角θ１である。内角θ１の大きさは、片５６の底辺と補助線８５がなす第１山部２９ｂ側の角θ２の大きさと同じである。第１山部２９ｂの左側斜辺は、片５６と切り欠き４５が共有する辺と補助線８５がなす角を２等分するものとなる。なお、θ２＝９０°−θ３となり、θ１＝９０°−θ３となる。
【００６０】
片５６と第１切り欠き４５が共有する辺４５ａの長さは、第１山部２９ｂの頂角の頂点５４から上下方向７に沿って仮想線４８まで下した線分の長さと等しい。また、第２端４２ｂと第１切り欠き４５がなす片５６の内角θ４は直角である。
【００６１】
第１切り込み４９と第１山部２９ｂがなす片５６の内角θ５の大きさは、９０°−θ３となる。すなわち、θ５＝θ１＝θ２である。
【００６２】
片５７と片５６とは、頂点５４を通る上下方向７に沿った補助線８５を対称軸として線対称である。片５７の形状についての説明は、片５６の形状と補助線８５を対称軸とする線対称なものとして説明されることから、省略される。
【００６３】
第２長手端４２は、第１端４２ａと第２端４２ｂとの間に段５９を有する。第２端４２ｂが第１山部２９ｂを谷として折り返されることにより、切り込み４９で生じる第１端４２ａ側の辺は上下方向７に沿った状態となる。また、第２端４２ｂが第１山部２９ｂを谷として折り返されることにより、第１切り込み４９で生じる第２端４２ｂ側の辺は、頂点５５ａから仮想線４８へ向かうにつれてしだいに右方へ向かうように傾斜する。
【００６４】
右端部２９ａは、中央部２９ｃの右半分と左右方向９の長さが同じである。第１山部２９ｂは、二等辺三角形の斜辺として説明されることから、両斜辺の左右方向９の長さが同じである。
【００６５】
左端部２９ｅは、中央部２９ｃの左半分と左右方向９の長さが同じである。第２山部２９ｄは、二等辺三角形の斜辺として説明されることから、両斜辺の左右方向９の長さが同じである。
【００６６】
［装飾具１１の製造方法９０］
以下、装飾具１１の製造方法９０が説明される。図９に示されるように、装飾具１１の製造方法９０は、第１工程乃至第８工程を有する。
【００６７】
［第１工程］
第１工程は、表裏面を有する人造皮革から第１部材２１を切り出す工程である。すなわち、第１部材２１は、より大きな１枚の人造皮革から切り出されたものである。よって、本実施形態における各長手端４１、４２及び短手端４３、４４の端面は、切断面である。
【００６８】
［第２工程９２］
第２工程９２は、切り出された第１部材２１が、裏面２７側へ折り曲げられる工程である。図５及び図６に示されるように、第１部材２１は、第１長手端４１が裏面２７側の仮想線４８に沿うように裏面側へ折り曲げられる。折り曲げられた状態において、第１長手端４１は、仮想線４８に沿って左右方向９に延びる。第１端２８は、第１長手端４１が折り曲げられることにより形成される。
【００６９】
［第３工程９３］
第３工程９３は、第２長手端４２が第１長手端４１に沿うようにして、第１部材２１が裏面２７側へ折り曲げられる工程である。
【００７０】
以下、図５、図６及び図７に基づいて第１部材２１の具体的な折り曲げの態様が説明される。第１端４２ａ、第２端４２ｂ、第３端４２ｃ、第４端４２ｄ、第５端４２ｅ、第６端４２ｆ及び第７端４２ｇは、先に折り曲げられている第１長手端４１に沿うようにして、それぞれ裏面２７側へ折り曲げられる。
【００７１】
図６に示されるように、第１端４２ａが第１長手端４１と左右方向９に渡って当接するように、第１部材２１が裏面２７側へ折り曲げられることによって、右端部２９ａが形成される。第４端４２ｄが第１長手端４１と左右方向９に渡って当接するように、第１部材２１が裏面２７側へ折り曲げられることによって、中央部２９ｃが形成される。第７端４２ｇが第１長手端４１と左右方向９に渡って当接するように、第１部材２１が裏面２７側へ折り曲げられることによって、左端部２９ｅが形成される。
【００７２】
片５６は、第２端４２ｂが第１長手端４１と左右方向９に渡って当接するように裏面側へ折り曲げられる。これにより、第１山部２９ｂが形成される。同様に、片５７は、第３端４２ｃが第１長手端４１と左右方向９に渡って当接するように裏面２７側へ折り曲げられる。これにより、もう一つの第１山部２９ｂが形成される。同様に、第５端４２ｅ及び第６端４２ｆが、第１長手端４１と左右方向９に渡って当接するように、第１部材２１が裏面２７側へ折り曲げられることにより、２つの第２山部２９ｄがそれぞれ形成される。第２端２９は、第２長手端４２の折り曲げにより形成される。
【００７３】
内角θ１は角θ２と同じ大きさであるため、図６に示されるように、第２端４２ｂを有する片５６が裏面２７側へ折り曲げられることにより、辺４５ａは、第１山部２９ｂの頂角の頂点５４から上下方向７に沿って仮想線４８まで延びる。
【００７４】
第２端４２ｂを有する片５６が裏面２７側へ第１山部２９ｂを谷として折り曲げられると、第１端４２ａと第２端４２ｂとの間に隙間５８が生じる。裏面２７の一部は、隙間５８を通じて外部へ露出する。
【００７５】
第２端４２ｂを有する片５６及び第３端４２ｃを有する片５７がそれぞれ裏面２７側へ第１山部２９ｂを谷として折り曲げられると、第１切り欠き４５を形成する辺４５ａと辺４５ｂとが当接する。
【００７６】
第５端４２ｅ及び第６端４２ｆの折り曲げの態様は、第３端４２ｃ及び第２端４２ｂの折り返しの態様と同一に説明されるため、その詳述は省略される。
【００７７】
［第４工程９４］
第４工程９４は、第１短手端４３及び第２短手端４４が、長手端４１及び４２が位置する側へループ状に曲げられる工程である。
【００７８】
以下、図６及び図７に基づいて各短手端４３及び４４の具体的な曲げの態様が説明される。第１部材２１のループ部３１は、長手端４１，４２がそれぞれ折り曲げられた後、第１短手端４３が、長手端４１，４２が位置する側へ曲げられることによって形成される。図７に示されるように、第１短手端４３は、第１部材２１の左右方向９の中央に位置して上下方向７に沿って延びる補助線４７まで曲げられる。この曲げた状態を保持するために、第１部材２１における第１短手端４３付近と、補助線４７付近とが両面テープなどで接着される。ループ部３１が形成されることによって、第１山部２９ｂは、開口３３の縁となり、また、第１端２８の一部は、開口３５の縁となる。
【００７９】
ループ部３１の上端である第１山部２９ｂは、正面視において、前側と後側が重なるように形作られることによって、すなわち２つの第１山部２９ｂが重なることによって、頂点５４が左端に位置し、頂点５４から右方へ向かうにしたがって下方へ向かうように傾斜する。
【００８０】
ループ部３０は、第２短手端４４が、長手端４１及び４２の位置する側へ曲げられることによって形成される。第２短手端４４は、補助線４７まで曲げられる。これにより、第２短手端４４は、第１短手端４３と当接または近接する位置となる。なお、第１短手端４３と第２短手端４４とは、どちらが先に曲げられてもよい。第１部材２１における第２短手端４４付近と、補助線４７付近とが、両面テープなどで接着される。ループ部３０が形成されることによって、第２山部２９ｄは、開口３２の縁となり、また、第１端２８の一部は、開口３４の縁となる。
【００８１】
ループ部３０の上端である第２山部２９ｄは、正面視において、前側と後側が重なるように形作られることによって、すなわち２つの第２山部２９ｄが重なることによって、頂点８４が右端に位置し、頂点８４から左方へ向かうにしたがって下方へ向かうように傾斜する。
【００８２】
［第５工程９５］
第５工程９５は、第２部材２２が芯材６７、表材６８及び台材６９により作成される工程である。図８（Ａ）に示されるように、表材６８は、前側から芯材６７に重ね合わされる。表材の縁６８ａは、前側から後側へ芯材６７に沿って折り返される。台材６９は、折り返された表材の縁６８ａを覆うようにして後側から芯材６７及び表材６８に重ね合わされる。
【００８３】
［第６工程９６］
第６工程９６は、第３部材２３が折り曲げられて形成される工程である。図８（Ｂ）に示されるように、第３部材２３は、表裏面を有する人造皮革の左右方向９の両端７６が裏面側へ折り曲げられて帯状に形成され、上下方向７の両端７７が折り曲げられた両端７６側へ曲げられてリング状に形成される。
【００８４】
［第７工程９７］
第７工程９７は、第２部材２２が第１部材２１の短手端４３及び４４の位置する側に重ねられた重複状態にされる工程である。図１０に示されるように、第１部材２１は、第２部材２２と左右方向９の中央が相互に合わせられてかつ、第１端２８が幅狭部６５の下端６２に沿うようにして第２部材２２と重ねられて重複状態にされる。
【００８５】
［第８工程９８］
第８工程９８は、第３部材２３が重複状態の第１部材２１及び第２部材２２に巻き付けられる工程である。第３部材２３は、状福状態の第１部材２１と第２部材２２の左右方向９の中央において上下方向７に沿って外側から第１部材２１及び第２部材２２に巻き付けられる。巻き付けた状態において第３部材２３は、上下方向７の両端７７が留め具７９で留められることによって固定される。
【００８６】
［本実施形態の効果］
本実施形態によれば、第１部材２１において、人造皮革の長手端４１及び４２が裏面２７側へそれぞれ折り曲げられているので、長手端４１，４２が外部から看取され難い。また、第１部材２１の短手端４３及び４４が第３部材２３に覆われているので、短手端４３，４４が外部から看取され難い。
【００８７】
また、第１長手端４１は直線であり、第２長手端は、第１端４２ａ、第２端４２ｂ、第３端４２ｃ、第４端４２ｄ、第５端４２ｅ、第６端４２ｆ、第７端４２ｇ、第１切り欠き４５及び第２切り欠き４６を有するので、第１部材２１において、第１長手端４１が折り曲げられてなる第１端２８がループ形状において直線的に延び、第２長手端４２が折り曲げてなる第２端２９がループ形状の外側へ向かってそれぞれ広がる形状が実現される。また、裏面２７側へ折り曲げられた第１長手端４１を基準として、第２長手端４２を裏面２７側へ折り曲げることができる。また、第２長手端４２は、さらに切り込み４９〜５２を有するので、第２長手端４２を裏面２７側へ折り曲げやすい。
【００８８】
また、第１部材２１は、第１山部２９ｂの頂角の頂点５４が左側の端に、第２山部２９ｄの頂角の頂点８４が右側の端に位置するように曲げられるため、第１部材２１の左右方向９の中央において上下方向７の幅が狭く、かつ左右方向９の両側へ向かって上下方向７の幅が次第に拡がる形状が実現される。
【００８９】
また、第２部材２２は、幅広部６６を有しており、第２部材２２は、第１部材２１と重ね合わされた状態において、第１部材２１の第１端２８側から、幅広部６６が上下方向７の外側へ突出するので、ループ形状において直線的に延びる第１部材２１の端の奥側に、蝶結び形状の両端が下方へ垂れている印象を与える第２部材２２が実現できる。
【００９０】
また、第２部材２２は、芯材６７を有しているので、芯材６７により第２部材２２の剛性が向上する。また、芯材６７の木端を表材６８が覆っているので外観が優れる。
【００９１】
また、第３部材２３は、表裏面を有する人造皮革の一対の両端が裏面側へ折り曲げられた帯状に形成されたものであるので、第３部材２３において両端が外部から看取され難い。
【００９２】
また、被せ蓋１２とベルト１５とは、それぞれを貫通するリベット８１により結合されており、装飾具１１は、リベット８１を覆っているので、収納部１３の開口８２を覆った状態の被せ蓋１２の外観にリベット８１が現れず、外観が優れる。
【００９３】
また、装飾具１１の第２部材２２と、被せ蓋１２とは、それぞれを貫通するリベット７２によって結合されており、装飾具１１の第１部材２１は、リベット７２を覆っているので、収納部１３の開口８２を覆った状態の被せ蓋１２の外観にリベット７２が現れず、外観が優れる。また、第２部材２２は、第３部材２３の両側において左右方向９に並ぶそれぞれ２つのリベット７２，７３によって被せ蓋１２と結合されているので、装飾具１１と被せ蓋１２とが強固に結合される。
【００９４】
また、装飾具１１の製造方法９０は、第１工程９１と、第２工程９２と、第３工程９３と、第４工程９４と、第５工程９５、第６工程９６、第７工程９７及び第８工程９８と、を有するので、第１部材２１において、長手端４１、４２及び短手端４３、４４が外部から看取され難い蝶結びリボン型の装飾具１１を簡易に製造することができる。また、第１工程９１では、第１部材２１の第１長手端４１を直線形状とし、第２長手端４２に、上下方向７の外側へ延びる第２端４２ｂ、第３端４２ｃ、第５端４２ｅ、第６端４２ｆと切り欠き４５、４６を有することとし、第３工程９３では、第１長手端４１と第２長手端４２の少なくとも一部とを当接することとするので、第１部材２１において、第１端２８がループ形状において直線的に延び、第２端２９がループ形状の外側へ向かってそれぞれ広がる形状が実現される。また、裏面２７側へ折り曲げられた第１長手端４１を基準として、第２長手端４２を裏面２７側へ折り曲げることができる。
【００９５】
［変形例］ 
以上、本発明の実施の形態を詳細に説明してきたが、前述までの説明はあらゆる点において本発明の例示に過ぎない。本発明の範囲を逸脱することなく種々の改良や変形を行うことができることは言うまでもない。実施形態に係る装飾具１１、ランドセル１０又は装飾具１１の製造方法９０の各構成要素に関して、実施の形態に応じて、適宜、構成要素の省略、置換、及び追加が行われてもよい。また、装飾具１１又はランドセル１０の各構成要素の形状及び大きさも、実施の形態に応じて、適宜、設定されてよい。例えば、以下の変更が可能である。 
【００９６】
実施形態に係る第１部材２１の第２長手端４２は、裏面２７側へ折り曲げられたとき、第１長手端４１と当接させられるが、第１長手端４１との間に隙間が設けられてもよい。
【００９７】
また、第１部材２１の短手端４３及び４４は、長手端４１及び４２の位置する側へ曲げられたとき両面テープで接着されるが、縫合や接着剤によって固定されてもよい。
【００９８】
また、第１山部２９ｂの底角θ３は、図面に表された大きさに限られず、０°より大きく４５°より小さい範囲内であればよい。
【００９９】
また、第２部材２２は、台材６９を有しているが、台材６９は省かれてもよい。
【０１００】
また、第２部材２２の孔７１は、左右方向９に一列に並んでいなくてもよい。孔７１は、リベット７２及び７３の位置に合せて設けられる。
【０１０１】
また、第３部材２３の両端７６は、図４に示されるように、互いに当接していてもよく、隙間が設けられていてもよい。
【０１０２】
また、第３部材２３の両端７７は、留め具７９で固定されているが、縫合や接着剤によって固定されていてもよい。
【０１０３】
また、装飾具１１は、左右方向９の中央において、前後方向８に延びて第３部材２３、第１部材２１及び第２部材２２を貫通して固定する鋲を有していてもよい。
【０１０４】
また、被せ蓋１２は、図１及び図１０に示されるように、収納部１３の前側を下側まで覆っているが、上側半分を覆うものであってもよい。
【０１０５】
また、ベルト１５は、Ｙ字状であるが、Ｈ字状や左右方向９の両側においてそれぞれ上下方向７に延びる一対のものであってもよい。
【０１０６】
また、リベット７３は、幅狭部６５の上下方向７の中央の位置にあるが、第２部材２２の内側であれば上側であっても下側であってもよい。
【０１０７】
また、リベット７２は、リベット７３と左右方向９に一列に並べられているが、リベット７３より上側であっても下側であってもよく、第２部材２２およびベルト１５の内側であって第１部材２１に覆われる範囲内の位置であればよい。
【０１０８】
また、リベット８１は、リベット７２と上下方向７に一列に並べられているが、リベット８１より左側であっても右側であってもよく、ベルト１５の内側であって第２部材２２に覆われる範囲内の位置であればよい。
【符号の説明】
【０１０９】
１０・・・ランドセル
１１・・・装飾具
１２・・・被せ蓋
１３・・・収納部
１４・・・肩ひも
１５・・・ベルト
２１・・・第１部材
２２・・・第２部材
２３・・・第３部材
２７・・・裏面
３０・・・ループ部
３１・・・ループ部
４１・・・第１長手端
４２・・・第２長手端
４２ａ・・・第１端
４２ｂ・・・第２端
４２ｃ・・・第３端
４２ｄ・・・第４端
４２ｅ・・・第５端
４２ｆ・・・第６端
４２ｇ・・・第７端
４３・・・第１短手端
４４・・・第２短手端
４５・・・第１切り欠き
４６・・・第２切り欠き
４９・・・第１切り込み
５０・・・第２切り込み
５１・・・第３切り込み
５２・・・第４切り込み
５４・・・頂角の頂点
６６・・・幅広部
６７・・・芯材
６８・・・表材
７２・・・リベット
７３・・・リベット
７６・・・両端
８１・・・リベット
８２・・・開口
８４・・・頂角の頂点
【図１】
2019051225.tif 000003
【図２】
2019051225.tif 000004
【図３】
2019051225.tif 000005
【図４】
2019051225.tif 000006
【図５】
2019051225.tif 000007
【図６】
2019051225.tif 000008
【図７】
2019051225.tif 000009
【図８】
2019051225.tif 000010
【図９】
2019051225.tif 000011
【図１０】
2019051225.tif 000012